(57)【特許請求の範囲】
【請求項１】
法面を第１不織布シートで覆うための第１覆工程、該第１不織布シートの上に客土層を形成する客土層形成工程、該客土層の上を第２不織布シートで覆う第２覆工程、第２不織布シートと共に第１不織布シートを法面に固定する不織布シート固定工程、第２不織布シートに植生のための植口を形成する植口形成工程、該植口の真下にて前記客土層に植え込みのための穴を空ける植え込み用穴形成工程、該植え込み用穴に土と共に植生原料を植え込む植え込み工程よりなることを特徴とする植生工法。
【請求項２】
上記植口が線状の切り欠きよりなることを特徴とする請求項１記載の植生工法。
【請求項３】
上記植え込み工程の後、切り欠きを開かないように接着剤で固定することを特徴とする請求項２記載の植生工法。
【請求項４】
客土層の端部及び第１不織布シートの端部を包み込むようにして、第２不織布シートの周囲の端部を法面に埋め込むことを特徴とする請求項１記載の植生工法。  
【発明の詳細な説明】
【技術分野】
【０００１】
本発明は法面等の植生工法に関し、更に詳しくは、複雑な法面の施工を必要としない安価に施工できる植生方法に関する。
【背景技術】
【０００２】
工事後の用地、造成地、河川堤防、山、道路等の傾斜地（いわゆる法面）はそのままの露出した状態で放置すると、その跡が、浸食したり、剥がれたり、陥没したりし、いわゆる荒廃化し易い。
そして、荒廃化を原因とする大量の風雨等により土砂が流れ出すこともあり、危険である。
また、見栄えも悪い。
このようなことから、荒れた法面に対して植生を施すことが広く行われている。
植生により土壌が安定し法面の荒廃化が防止されると共に、緑化されるため自然な状態となり見栄えが向上するのである。
【０００３】
この植生の方法としては、例えば、特許文献１にあるような、排水性中和板を法面に固定し、該排水性中和板にラス、ネット等の網目体を重ねて固定し、その後、該排水性中和板の上に植生基盤を吹き付ける法面緑化方法がある。
更にまた、特許文献２にあるような、防草マット及び防草キャップを使った緑化工法も開発されている。
【０００４】
この緑化工法は、施工面に敷設した防草マットに多数の開口部を形成し、該開口部から防草キャップを埋め込む方法であり、該防草キャップは、筒部と開口部を被うためのつば部とよりなるものを使う。
このつば部と防草マットの重なり部分を接着剤で固定するのである。
これらの緑化方法は、排水性中和板、網目体、植生基盤を使用したり、或いは防草キャップ、防草マットを使用したりするため、使用材料（施工のため使う部材）も複雑であり施工する際の作業工数が多く必要である。
したがって施工コストが嵩む。
他方ではネット材を使った植生緑化構造も開発されているが、法面に多量の雨水が急激に降ると水はネット材に沿って下方に流れず、直接、法面の土壌に吸収されるため、法面が浸食されて植生が困難となる。
また植生された茎の周囲に窪みができて育ちにくい欠点もある。
【先行技術文献】
【特許文献】
【０００５】
【特許文献１】特開２００３−２０６５２号公報
【特許文献２】特開２００９−１７８８８号公報
【発明の開示】
【発明が解決しようとする課題】
【０００６】
本発明は以上の問題点を解決すべく開発されたものである。
すなわち本発明は、施工する際、簡単に作業できコスト安でしかも法面が浸食しにくい植生方法及びその植生用地盤構造を提供するものである。
【課題を解決するための手段】
【０００７】
本発明者は、以上のような課題背景をもとに鋭意実験研究を重ね本発明を完成させたものである。
【００１０】
すなわち本発明は、（１）、法面を第１不織布シートで覆うための第１覆工程、該第１不織布シートの上に客土層を形成する客土層形成工程、該客土層の上を第２不織布シートで覆う第２覆工程、第２不織布シートと共に第１不織布シートを法面に固定する不織布シート固定工程、第２不織布シートに植生のための植口を形成する植口形成工程、該植口の真下にて前記客土層に植え込みのための穴を空ける植え込み用穴形成工程、該植え込み用穴に土と共に植生原料を植え込む植え込み工程よりなる植生工法に存する。
【００１１】
また、本発明は、（２）、上記植口が線状の切り欠きよりなる上記（１）記載の植生工法に存する。
【００１２】
また、本発明は、（３）、上記植え込み工程の後、切り欠きを開かないように接着剤で固定する上記（２）記載の植生工法に存する。
【００１３】
また、本発明は、（４）、客土層の端部及び第１不織布シートの端部を包み込むようにして、第２不織布シートの周囲の端部を法面に埋め込む上記（１）記載の植生工法に存する。  
【００２０】
なお、本発明の目的に添ったものであれば上記（１）から（４）の発明を適宜組み合わせた構成も採用可能である。
【発明の効果】
【００２１】
本発明の植生工法は、複雑な法面の施工を必要とせず施工工数が少なくて済む。
そのため工期も短くなりコストも安価となる。
また雨水が多量であっても該不織布シートに沿って積極的に流すことができ、急激な雨水による法面の浸食も生じない。
【００２２】
また上記植え込み用穴が線状の切り欠きよりなる場合、植生原料を植え込む場合に、植生原料（苗木、根株）の径の大小に対応して開口部が開いて作業がし易い。
また不織布シートは、多少伸びるので植え込んだ後は、開口部を小さくなるような操作が可能である。
【００２３】
また植え込み工程の後、余分な切り欠きを接着剤で固定することにより、水の侵入をより完全に防止することができる。
【図面の簡単な説明】
【００２４】
【図１】図１は、本発明の第１の実施の形態の植生方法を説明するブロック図である。
【図２】図２は、本発明の植生方法の第１の実施の形態を説明する法面の断面図である。
【図３】図３は、本発明の第２の実施の形態の植生方法を説明するブロック図である。
【図４】図４は、本発明の植生方法の第２の実施の形態を説明する法面の断面図である。
【図５】図５は、本発明の第３の実施の形態の植生方法を説明するブロック図である。
【図６】図６は、本発明の植生方法の第３の実施の形態を説明する法面の断面図である。
【図７】図７は、植口形成工程における切り欠きの例を示した図であり、（Ａ）はＺ字形、（Ｂ）は十字形、（Ｃ）はＶ字形の切り欠きを示す。
【図８】図８は、図７の切り欠きを開いた図であり、（Ａ）はＺ字形の切り欠きを開いた場合で、開放された植口２１は長方形、（Ｂ）は十字形の切り欠きを開いた場合で開放された植口２１は菱形、（Ｃ）はＶ字形の切り欠きを開いた場合で開放された植口は三角形を示す。
【図９】図９は、本発明の第１の実施の形態の植生方法による施工面を説明する模式図である。
【００２５】
本発明の植生方法において、出発原料となる植生原料Ｐは、将来、法面に植生したい植物であって、例えば、花類、樹木類、種子類、苗類、等、種々の形態がある。
【００２６】
（第１の実施の形態）
この実施の形態の植生工法は、法面を第１不織布シート２で覆うための覆工程、第１不織布シート２を法面に固定する第１不織布シート固定工程、第１不織布シート２に植生のための植口２１を形成する植口形成工程、植口２１の真下に植え込みのための穴を空ける植え込み用穴形成工程、該植え込み用穴に植生原料Ｐを植え込む植え込み工程とよりなる。
【００２７】
図１は、この植生方法の工程を示すブロック図であり、以下順次、各工程別に説明していく。
【００２８】
１）覆工程
本実施の形態では、施工対象となる部分（ここでは法面）が硬い土壌ではなく植生が可能な土壌であれば適用可能である。
なお法面の土壌に草根が含まれる場合は、極力、除去することが好ましい。
そして法面１の上に第１不織布シート２を敷設する。
そして第１不織布シート２の周囲の端部２２は法面１の土壌に埋め込む。
ところで第１不織布シート２を敷設する際は、一定広さを有するシート状片の不織布シート２を平面状に多数枚連結していくことで施工面積を広める。
その場合、その不織布シート２の端部同士を重ね合わせて接着することが好ましい。
第１不織布シート２としては、後述するように、雨水を斜面に沿って流すことができ、また水分も多少通すものが採用される。
また、法面１から上方に伸びる草芽を阻止すること（すなわち防草すること）も重要である。
このようなことから、第１不織布シート２としては、例えば合成繊維よりなる不織布が好ましく用いられる。
この第１不織布シート２は、工事の施工後、植生原料Ｐがある程度育った状態においては、腐食しても差し支えない。
【００２９】
２）第１不織布シート固定工程
第１不織布シート２を止めピン４等（固定手段）を使って、法面１に固定する。
この場合、通常、第１不織布シート２の上から、例えば止めピン４を法面の土壌に打ち込む。
なお止めピン４としては、釘状のピンや、Ｕ字状のピンが使われる。
第１不織布シート２は外気に露出しており風雨等によって捲れ上がることがあり、これを止めピン４で固定することによりそれを防ぐことができる。
なお、第１不織布シート２は、端部同士の重ね部にも打ち込むことが好ましい。
また、第１不織布シート２の周囲の端部２２は、一定の距離、土壌に埋め込む。
ここで使用する第１不織布シート２は、これに沿って、水等を下方に流し排水することができ、またある程度水を通過させることができ、また防草の機能を有するものであれば種々の不織布シートが採用可能である。
因みに不織布シートは、網ネットと異なって、適度な透水性を示すが急激に水を通すことはない。
また、不織布シートの材料としては、合成繊維（ポリエステル、レーヨン等）により形成されたものが好ましい。
天然繊維と異なって施工後も数年間は腐りにくく保形性が良いという利点がある。
また透水性は１×１０−３〜１０−５（ｃｍ／ｓｅｃ）が好ましい。
従って、雨が急激に降っても、雨水はこの第１不織布シート２に沿って（法面に沿って）下方に流れるよう誘導される。排出を促すのである。
【００３０】
３）植口形成工程
第１不織布シート２に植生のための植口２１を形成する工程である。
植口２１を形成するのは、法面１に植生原料Ｐをこの植口２１を介して起立状に植え込むためである。
植口２１は、線状の切り欠きＳよりなるもので、切り欠きＳの切り口は極力細い方がよい。
植口２１の切り方は、ハサミ又はナイフを使って切ることが好ましい。
【００３１】
図７は、その切り欠きＳの例を示した図であり、（Ａ）はＺ字形、（Ｂ）は十字形、（Ｃ）はＶ字形、の切り欠きをそれぞれ示す。
上記の切り欠きＳは、植生原料Ｐの大小によって使い分けを行うことができる。
【００３２】
図８は、図７の切り欠きＳを開いた図を参考までに示すが、各々開放された植口２１の形が異なることが分かる。
（Ａ）はＺ字形の切り欠きＳを開いた場合で、開放された植口２１は長方形、（Ｂ）は十字形の切り欠きＳを開いた場合で、開放された植口２１は菱形、（Ｃ）はＶ字形の切り欠きＳを開いた場合で、開放された植口２１は三角形を示す。
特にＺ字形の切り欠きＳは一筆切りで切り欠きＳが形成され且つ矩形の植口２１ができるので、大きい根塊にも対応でき、しかも施工も効率がよい。
もっとも、それぞれ開き加減を変えることで植口２１の大きさや形は調整することができる。
また、後述するように、不織布シートは、多少伸びるので、施工後にその切り欠いた端部を引っ張って、余分な植口２１を極力小さくすることができる。
【００３３】
４）植え込み用穴形成工程
第１不織布シート２に形成した植口２１の真下にて法面の土壌に植生原料Ｐを植え込むための穴を掘る。
ここで植え込みの対象となる植生原料Ｐとしては、花類、樹木類、種子類、苗類、等、種々の形態がある。
この植え込み用穴は、植生原料Ｐの根塊の大きさによって異なるが、例えば花類であれば径は５ｃｍ〜２０ｃｍ程度、中程度の樹木苗であれば４０ｃｍ〜８０ｃｍ程度となり、深さも同じ程度である。
すなわち植生原料Ｐには，通常、根塊があるので、これを収納できるだけの大きさがあればよい。
具体的な植え込み用穴の空け方は、移植コテ（スコップ等）を植口２１を通して法面の土壌に押し入れて、一定角度横方向に動かすと空間ができ、この部分が穴となる。
このように植え込み用穴は、掘るというより穴としての空間を形成するものである。
【００３４】
５）植え込み工程
植生原料Ｐを第１不織布シート２に形成した植口２１から法面１の植え込み用穴に植え込む。
この場合、植え込み用穴形成工程により形成された植え込み用穴と第１不織布シートの植口２１とが対応した位置にあるので、植口２１を通して植え込み用穴に土と共に根塊を有する植生原料Ｐを植え込む。
そして植え込んだ周りを押さえて固める。
ここで、根塊を植えた後は、第１不織布シート２は引っ張ると少し伸びるので、その切り欠いた端部を引っ張って茎の周りの植口２１を極力小さくして土壌が露出しないようにするとよい。
植口２１の切り欠きＳは、植生材料Ｐを挿入した部分以外の部分は開かないようにボンド等の接着剤Ｒを使って塞いでおくことがより好ましい（図９（Ｂ）参照）。
風雨により水が不織布シートに沿って流れ排水される際に、雨水等がこの植口２１から入りにくいからである。
因みに、植生材料Ｐを植え込んだ後の根付くまでの一定期間は、法面を安定した状態に保持しておくことが必要であるが、植口２１から雨水が大量に流れ込むと泥水となって法面が浸食崩壊し易く、根付きが期待できない。
以上述べたように、この植生工法は、複雑な法面の施工を必要とせず施工工数が少なく、そのため工期も短くなりコスト安となる。
また雨水が多量であっても該不織布シートに沿って積極的に流して排水することができる。
しかも不織布シートは適度な透水性を示すので、法面の土壌にも必要となる水分を適宜供給することができる。
【００３５】
（植生用地盤構造）
以上により、図２に示すような植生用地盤構造が形成される。
この植生用地盤構造は、法面１を覆う第１不織布シート２と、該第１不織布シート２に一定間隔（不定間隔でもよい）で形成した植口２１と、該植口２１から法面１に植え込んだ植生原料Ｐとよりなるものである。
ここで第１不織布シート２は法面１に止めピン４等の固定手段で固定されており、風雨により捲れ上がることはない。
特に植生原料Ｐを植え込んだ後は、この植口２１の周囲は外方に引っ張られ易く植口２１が開く傾向がある。
従って、上述した不織布シート固定工程において、植口２１の近くに打ち込む止めピン４は、傾斜状態で外側方向（すなわち打ち込むに従って植生原料から離れる方向）に打ち込むことが好ましい。これで植口２１の開きを防止できる。  
また雨水が集中的に法面１に降っても、第１不織布シート２に沿って斜面を流れ下る。
この場合、上述したように法面の土壌が露出しないように植生原料Ｐの外側の余分な植口２１は塞がれているので、雨水が植口２１から下に入り込むことが阻止され窪みができない。
このように、雨水が急激に法面の土壌に侵入することがなく、法面１が浸食されて崩壊するような問題は生じない。
【００３６】
（第２の実施の形態）
この実施の形態の植生工法は、法面１に客土層１Ａを形成する客土層形成工程、客土層１Ａの上を第１不織布シート２で覆うための覆工程、第１不織布シート２を法面１に固定する第１不織布シート固定工程、第１不織布シート２に植生のための植口２１を形成する植口形成工程、植口２１の真下にて前記客土層１Ａに植え込みのための穴を空ける植え込み用穴形成工程、該植え込み用穴に土と共に植生原料Ｐを植え込む植え込み工程よりなる。
この植生工法は、法面が比較的硬い土壌（軟質岩盤状等）である場合に適用すると効果的である。
【００３７】
図３は、この植生方法の工程を示すブロック図であり、以下順次、各工程別に説明していく。
この方法は、第１の実施の形態と異なって、法面１の上に前もって客土層１Ａを形成しておくものである。
法面が比較的硬い土壌である場合には、植生原料Ｐが根付きにくく、そのためこのような客土層１Ａを設けるのである。
【００３８】
１）客土層形成工程
まず施工対象となる部分（ここでは法面）の草根を極力取り払うことが好ましい。
そして法面１の上に一定量の客土を敷設して客土層１Ａを形成する。
上述したように、これは法面が比較的硬い土壌である場合に植生材料Ｐが育ちにくくなることから形成するものである。
客土層１Ａを盛る厚さは、植生原料Ｐや植え込み用穴の大きさによって異なるが、１０ｃｍ〜７０ｃｍ程度である。
例えば花類であれば小さいが、樹木苗であればそれより当然大きくなる。
客土層は、土の他、砂や小砂利を含んだ土壌によって形成されるが、土壌改良剤や肥料等は敢えて混入する必要はない。
【００３９】
２）覆工程
客土層１Ａの上に第１不織布シート２を敷設する。
ここでも第１不織布シート２を敷設する際は、一定広さを有するシート状片の第１不織布シート２を平面状に多数枚連結していくことで施工面積を広める。
この場合も第１不織布シート２の端部同士を重ね合わせて、接着することが好ましい。
特に、客土層１Ａの端部が包み込まれるように第１不織布シート２の周囲の端部２２を法面１に一定深さ埋め込む。  
第１不織布シート２は、雨水等を第１不織布シート２に沿って下方に流して排除する役割を果たす。
そして、たとえ法面の土壌から客土層１Ａまで伸びてきた雑草があったとしても、この第１不織布シート２によりそれ以上の伸びを阻止する。
【００４０】
３）第１不織布シート固定工程
第１不織布シート２を止めピン等４の固定手段を使って、法面１に固定する。
この場合、止めピン４を第１不織布シート２の上から客土層１Ａを突き抜けるようにして法面１の土壌内に打ち込む。
止めピン４としては、釘状のピンや、Ｕ字状のピンが使われる。
【００４１】
４）植口形成工程
第１不織布シート２に植生のための植口２１を形成する工程である。
先述したように、植口２１は、線状の切り欠きＳよりなるもので、例えば、十字形、Ｚ字形、Ｖ字形のものが採用される。
切り口は、線状に近く極力細い方がよく、植口２１の切り方は、挟み又はナイフを使って切ることが好ましい。
【００４２】
５）植え込み用穴形成工程
植口２１の真下にて前記客土層１Ａに植生原料Ｐの植え込みのための穴を掘る。
穴の空け方は、具体的には、移植コテ（スコップ）を植口２１を通して客土層１Ａに押し入れて、一定角度横方向に動かすと空間ができ、この部分が植え込み用穴となる。
この植え込み用穴は、先述したように、例えば、花類であれば径は５ｃｍ〜１０ｃｍ程度、中程度の樹木苗であれば１５ｃｍ〜２０ｃｍ程度である。
【００４３】
６）植え込み工程
植生原料Ｐを植口２１から客土層１Ａの植え込み用穴に植え込む。
この場合、植え込み用穴形成工程により形成された植え込み用穴に植口２１を通して土と共に植生原料Ｐを入れる。
植口２１の真下に対応するように植え込み用穴が空けられているので植え込みは簡単である。
そして植え込んだ周りを押さえて固める。
上述したように、根塊を植えた後は、第１不織布シート２は引っ張ると少し伸びるので、その切り欠いた端部を引っ張って茎の周りの植口２１を極力小さくして土壌が露出しないようにするとよい。
また切り欠きＳは植生材料Ｐを挿入した部分以外の部分は開かないように接着剤Ｒを使って塞いでおくことが好ましい。
【００４４】
（植生用地盤構造）
以上により、図４に示すような植生用地盤構造が形成される。
この植生用地盤構造は、法面１に形成した客土層１Ａと、該客土層１Ａ上を覆う第１不織布シート２と、該第１不織布シート２に一定間隔で形成した植口２１と、該植口２１から客土層１Ａに植え込んだ植生原料Ｐとよりなる。
ここで第１不織布シート２は法面１に止めピン等４の固定手段で固定されている。
客土層を設けるので法面が硬くても植生材料Ｐが育成される。第１不織布シート２があるので、客土層に含まれた雑草芽が伸びてもここで阻止される。
また第１不織布シート２は、雨水等をこれに沿って下方に流す役割を果たし、一方では透水性があるので適度な水分を客土層１Ａに与える。
【００４５】
（第３の実施の形態）
この実施の形態の植生工法は、法面１を第１不織布シート２で覆うための第１覆工程、該不織布シートの上に客土層１Ｂを形成する客土層形成工程、該客土層１Ｂの上を第２不織布シート３で覆う第２覆工程、第２不織布シート３と共に第１不織布シート２を法面１に固定する不織布シート固定工程、第２不織布シート３に植生のための植口３１を形成する植口形成工程、該植口３１の真下にて客土層１Ｂに植え込みのための穴を空ける植え込み用穴形成工程、該植え込み用穴に土と共に植生原料Ｐを植え込む植え込み工程よりなる。
【００４６】
図５は、この植生方法の工程を示すブロック図であり、以下順次、各工程別に説明していく。
【００４７】
１）第１覆工程
この植生方法は、第２の実施の形態と同じように、施工対象となる部分（ここでは法面）が比較的硬い土壌である場合に適している。
まず法面１の上に第１不織布シート２を敷設する。
この場合は、第１不織布シート２の端部同士を重ね合わせても接着までする必要はない。
この第１不織布シート２は、法面１の土壌に含まれている雑草芽が成長するのを阻止して次に述べる客土層１Ｂの中にまで伸びないようにする。
これによって、後述する客土層１Ｂに植え込む植生原料Ｐの成長を阻害しない。
第１不織布シート２としては、上述した第１不織布シート２のようなものが用いられる。
また、この第１不織布シート２は、後述するように、地中から湧き上がる余剰水に対しても誘導して排水する役割を果たす。
この場合、次の工程で形成される客土層の荷重で、この第１不織布シート２を押さえ付けるので、第１不織布シート２は固定する必要はなく、止めピン４等の打ち込みは省略できる。
【００４８】
２）客土層形成工程
第１不織布シート２の上に客土を敷設して客土層１Ｂを形成する。
ここでも客土層１Ｂを盛る厚さは、２０ｃｍ〜８０ｃｍ程度である。
客土層は第１不織布シート２の上にあって法面とは隔離されて別の育成の土壌となるので、第２の実施の形態より相対的に大きい層厚の方が好ましい。
【００４９】
３）第２覆工程
次に客土層１Ｂの上に更に第２不織布シート３を敷設する。
この場合、第２不織布シート３は、雨水等を第２不織布シート３に沿って流す役割を果たす。
また、たとえ法面の土壌から客土層１Ｂまで伸びた雑草があったとしても、この第２不織布シート３により確実に上方への成長を阻止する。
一方、客土層１Ｂの端部及び第１不織布シート２の端部を包み込むように、第２不織布シート３の周囲の端部３２を法面１に埋め込む。  
これにより客土層１Ｂは、第１不織布シート２と第２不織布シート３との間で区画され独自の育成環境を設定できる。
【００５０】
４）第２不織布シート固定工程
第２不織布シート３を止めピン４等（固定手段）で法面に固定する。
この場合、止めピン４を第２不織布シート３の上から第１不織布シート２を突き抜けて法面１に食い込むように打つ。
第２不織布シート３は、外気に露出しており、風雨によって捲れ上がることがあり、これを防ぐためである。
第２不織布シート３の端部同士の重ね部にも打ち込むことが好ましい。
【００５１】
５）植口形成工程、
第２不織布シート３に植生のための植口３１を形成する工程である。
先述したように、植口３１は、線状の切り欠きＳよりなるもので、例えば、Ｚ字形、十字形、Ｖ字形のものが採用され、その切り口は線状に近く極力細くなるように、挟み又はナイフを使って切る。
【００５２】
６）植え込み用穴形成工程
植口３１の真下にて前記客土層１Ｂに植生原料Ｐの植え込みのための穴を空ける。
穴の空け方は、上述したように、移植コテ（スコップ）を植口３１を通して客土層１Ｂに押し入れて、一定角度横方向に動かすと空間ができ、この部分が植え込み用穴となる。
穴の大きさは上述の実施の形態で述べた。
【００５３】
７）植え込み工程
植生原料Ｐを植口３１から客土層１Ｂの植え込み用穴に植え込む。
この場合、植え込み用穴形成工程により形成された植え込み用穴に植口３１を通して植生原料Ｐを土と共に植え込む。
そして植え込んだ周りを押さえて固める。
上述したように、根塊を植えた後は、第２不織布シート３は引っ張ると少し伸びるので、その切り欠いた端部を引っ張って茎の周りの植口３１を極力小さくして土壌が露出しないようにするとよい。
また切り欠きＳは植生材料Ｐを挿入した部分以外の部分は開かないように接着剤Ｒを使って塞いでおくことが好ましいことは先述した通りである。
以上、この植生工法も複雑な法面の施工を必要とせず施工工数が少なく、しかもコストも安価に行える。
【００５４】
（植生用地盤構造）
以上により、図６に示すような植生用地盤構造が形成される。
この植生用地盤構造は、法面１を覆う第１不織布シート２と、該第１不織布シート２の上に形成された客土層１Ｂと、該客土層１Ｂの上を覆う第２不織布シート３と、該第２不織布シート３に一定間隔で形成した植口３１と、該植口３１から客土層１Ｂに植え込んだ植生原料Ｐとよりなる。
第１不織布シート２と第２不織布シート３は法面１に止めピン４等（固定手段）で固定されている。
最下位に第１不織布シート２があるので、法面の土壌に含まれた雑草芽が伸びてもここで阻止される。
そして、たとえ法面の土壌から客土層１Ｂまで伸びてきた雑草があったとしても、この第２不織布シート３により、それより上方への伸びも確実に阻止される。
また第１不織布シート２は、客土層１Ｂの下にあるので、表面からは埋め込まれたレベルに位置することになる。
そのために、この位置は、下方からわき水等が上がって余剰水として滞留しやすい。
しかし、第１不織布シート２があることで、余剰水は、この第１不織布シート２が排水層となり下方に排水される作用を受ける。
また第２不織布シート３は、雨水等をこれに沿って下方に流す役割を果たし、また透水性もあるので適度な水分を客土層１Ｂに与える。
【００５５】
以下、次のような施工実験を行った。
（実験１）
この施工例は、第１の実施の形態の方法を採用した例である。
硬い土壌でなく植生が可能な土壌の法面（３００ｍ２）を対象に、本発明の植生方法を施工した（図９参照）。
法面を直接覆う第１不織布シートとしては、ポリエステル不織布シート（厚さ２ｍｍ、透水性は１×１０−３ｃｍ／ｓｅｃ）を使った。ポリエステル不織布シート（幅２００ｃｍ×１０００ｃｍ）の重ね幅は、１０ｃｍとし、Ｕ字型の止めピン（長さ３０ｃｍ）で固定した。
ポリエステル不織布シートには、ナイフを使ってＺ字形に切り欠き、植口を作った。
そしてスコップで法面の土壌に穴を形成し、植生原料としてヤマザクラの苗（高さ１０ｃｍ）を植え込んだ。
植え込んだ後、切り欠き端部を引っ張って植口から客土層が露出しないようにした。
また植口の切り欠きは、植生材料を挿入した部分以外の部分は開かないようにボンド等の接着剤Ｒを使って塞いだ（図９（Ｂ）参照）。
施工後、１２か月すると、ヤマザクラが２０〜３０ｃｍに育って、雑草が殆ど生えてこない状態となっていた。
第１不織布シートの下を観察したところ、法面の土壌から伸びた雑草は、その多くが第１不織布シートによって伸びるのを阻止されていた。
また植口における茎の周囲も露出してなく、その下も急激な雨水の浸食による窪みもできていなかった。
【００５６】
（実験２）
この施工例は、第２の実施の形態の方法を採用した例である。
比較的硬い土壌の法面（３００ｍ２）を対象に、本発明の植生方法を施工した。
客土層を覆う第１不織布シートとしては、ポリエステル不織布シート（厚さ２ｍｍ、透水性は１×１０−３ｃｍ／ｓｅｃ）を使った。ポリエステル不織布シート（幅２００ｃｍ×１０００ｃｍ）の重ね幅は、１０ｃｍとし、Ｕ字型の止めピン（長さ３５ｃｍ）で固定した。
客土層はクラッシャーラン（砂）を含んだ土壌を使用し、２０ｃｍの層厚に形成した。
ポリエステル不織布シートには、ナイフを使ってＺ字形に切り欠き、植口を作った。
そしてスコップで客土層に穴を形成し、植生原料としてヤマザクラの苗（高さ１０ｃｍ）を植え込んだ。
植え込んだ後、切り欠き端部を引っ張って植口から客土層が露出しないようにした。
１２か月後には、ヤマザクラが高さ２０〜３０ｃｍに育って、雑草が殆ど生えてこない状態となっていた。
また、第１不織布シートの下を観察したところ、法面の土壌から伸びた雑草は、客土層に達していたが、その多くが第１不織布シートによって伸びるのを阻止されていた。
豪雨時の観察でも、雨水が第１不織布シートに沿って下方に流れて排水されるのが視認できた。
また、植口における茎の周囲も露出してなく、その下も急激な雨水の浸食による窪みもできていなかった。
【００５７】
（実験３）
この施工例は、上記第３の実施の形態の方法を採用した例である。
この施工例は、実験２と同様な法面の場所で、同様なポリエステル不織布シート、植生原料、を使って上記第３の実施の形態の方法を採用した例である。
客土層は３０ｃｍの層厚に形成し、植生原料としヤマザクラの苗（高さ１０ｃｍ）を植え込んだ。
植え込んだ後、切り欠き端部を引っ張って植口から客土層が露出しないようにした。
１２か月後、ヤマザクラが高さ２０〜３０ｃｍに育って、雑草が全く生えてこない状態となっていた。
また、第１不織布シートの下を観察したところ、一番下の法面の土壌から伸びた雑草は、その多くが第１不織布シートによって伸びるのを阻止されていた。
また、第２不織布シートの下を観察したところ、第１不織布シートを通り抜けて客土層にまで伸びて侵入した雑草が、第２不織布シートによって確実に伸びるのを阻止されていた。
また、植口における茎の周囲も露出してなく、その下も急激な雨水の浸食による窪みもできていなかった。
【００５８】
以上、本発明をその一実施形態を例に説明したが、本発明は上述した実施形態のみに限定されるものではなく、種々の変形が可能である。
本発明の施工の対象となる法面は、瓦礫であろうと土砂であろうと、或いは粘土であろうと拘束されない。
そして法面の傾斜は、少なくともいわゆる水勾配と云われる勾配を有するものである。
また、例えば植生材料としては、法面の土壌、及び客土層に植付けて育成できるものであれば、種々のものが使用可能である。
また第１不織布シートや第２不織布シートは、施工後、植生原料Ｐがある程度育った状態においては、腐食しても問題ないことはいうまでもない。
また、第１実施の形態の第１不織布シート２の上に、第２実施の形態の第１不織布シート２の上に、第３実施の形態の第２不織布シート３の上に、それぞれ芝種等を散布することも可能である。
芝種は、これら不織布シートに保持され易いため、根付きが良い。
また、第１の実施の形態と第２の実施の形態の客土層の厚みは、上述した数値範囲に必ずしも拘束されないものである。
【符号の説明】
【００５９】
１…法面
１Ａ…客土層
１Ｂ…客土層
２…第１不織布シート
２１…植口
２２…端部
３…第２不織布シート
３１…植口
３２…端部
４…固定手段（止めピン）
Ｐ…植生原料
Ｒ…接着剤
Ｓ…切り欠き
【図１】
0005699291.tif 000002
【図２】
0005699291.tif 000003
【図３】
0005699291.tif 000004
【図４】
0005699291.tif 000005
【図５】
0005699291.tif 000006
【図６】
0005699291.tif 000007
【図７】
0005699291.tif 000008
【図８】
0005699291.tif 000009
【図９】
0005699291.tif 000010